(57)【要約】  筐体（１８）と、筐体上のブレード先を有する少なくとも１つの細長いブレード（２０）と、ブレードの前の筐体上の細長いガード（２２）と、ブレードの後ろの筐体上の細長いキャップとを包含する剃毛ブレードユニット。ガード（２２）は、剃毛援助をもたらすための細長いガードストリップ（４２）、及びガードストリップの末端部を越えて横方向に延びるエラストマーのガードフィン（２８、４０）を包含する。ガードはまた一連の凹部（３６）を包含するエラストマー材料を包含することができる。キャップはまた、キャップストリップ（４４）の両側に、キャップストリップの末端部を越えて横方向に延びるエラストマーのキャップフィン（４８、５０）を、包含することができる。
2007521933.tif 000002
【特許請求の範囲】
【請求項１】
剃毛ブレードユニットにおいて、
筐体と、
前記筐体上の刃先を有する少なくとも１つの細長いブレードと、
前記刃先に平行な前記ブレードの前の前記筐体上の細長いガードと、
前記ブレードの後ろであって、前記刃先に平行な前記筐体上の細長いキャップとを備え、
前記ガードは、前記刃先に前記平行な剃毛をもたらすための細長いガードストリップを包含し、
前記ガードストリップは、ガードストリップ末端部を有し、
前記ガードは、前記ガードストリップ末端部を越えて横方向に延びるエラストマーのガードフィンを包含する、剃毛ブレードユニット。
【請求項２】
剃毛ブレードユニットにおいて、
筐体と、
前記筐体上の刃先を有する少なくとも１つの細長いブレードと、
前記刃先に平行な前記ブレードの前の前記筐体上の細長いガードと、
前記ブレードの後ろであって、前記刃先に平行な前記筐体上の細長いキャップとを備え、
前記ガードは、前記刃先に平行な剃毛援助をもたらすための細長いガードストリップと、一連の凹部を包含するエラストマー材料とを包含する、剃毛ブレードユニット。
【請求項３】
剃毛ブレードユニットにおいて、
筐体と、
前記筐体上の刃先を有する少なくとも１つの細長いブレードと、
前記刃先に平行な前記ブレードの前の前記筐体上の細長いガードと、
前記ブレードの後ろであって、前記刃先に平行な前記筐体上の細長いキャップとを備え、
前記キャップは、前記刃先に平行な剃毛援助をもたらすための第１の細長いキャップストリップと、前記ストリップの両側に、前記末端部を越えて横方向に延びるエラストマーのキャップフィンとを包含する、剃毛ブレードユニット。
【請求項４】
前記ガードは、一連の凹部を包含するエラストマー材料を包含する、請求項１に記載の剃毛ブレードユニット。
【請求項５】
前記キャップは、前記刃先に平行な剃毛援助をもたらすための第１の細長いキャップストリップを包含し、
前記キャップストリップは、キャップストリップ末端部を有し、
前記キャップは、前記キャップストリップ末端部を越えて横方向に延びるエラストマーのキャップフィンを有する、請求項１に記載の剃毛ブレードユニット。
【請求項６】
前記キャップは、前記刃先に平行な剃毛援助をもたらすための第１の細長いキャップストリップを包含し、
前記キャップストリップは、キャップストリップ末端部を有し、
前記キャップは、前記キャップストリップ末端部を越えて横方向に延びるエラストマーのキャップフィンを有する、請求項２に記載の剃毛ブレードユニット。
【請求項７】
前記キャップは、前記刃先に平行な剃毛援助をもたらすための第１の細長いキャップストリップを包含し、
前記キャップストリップは、キャップストリップ末端部を有し、
前記キャップは、前記キャップストリップ末端部を越えて横方向に延びるエラストマーのキャップフィンを有する、請求項４に記載の剃毛ブレードユニット。
【請求項８】
前記一連の凹部は、前記細長いガードストリップに平行な第１列に配列される、請求項２、４、又は７に記載のブレードユニット。
【請求項９】
前記一連の凹部は、前記細長いガードストリップに平行であって、前記細長いガードストリップの前に位置付けられた第１列に配列される、請求項２、４、又は７に記載のブレードユニット。
【請求項１０】
前記一連の凹部は、前記細長いガードストリップに平行であって、前記細長いガードストリップの後ろに位置付けられた第１列に配列される、請求項２、４、又は７に記載のブレードユニット。
【請求項１１】
前記一連の凹部は、前記細長いガードストリップに平行であって、前記細長いガードストリップの前に位置付けられた第１列と、前記細長いガードストリップに平行であって、前記細長いガードストリップの後ろに位置付けられた第２列に配列される、請求項２、４、又は７に記載のブレードユニット。
【請求項１２】
前記ガードフィンは湾曲している、請求項１、４、５、又は７に記載のブレードユニット。
【請求項１３】
前記キャップフィンは湾曲している、請求項３、５、６、又は７に記載のブレードユニット。
【請求項１４】
前記ガードフィンは湾曲しており、かつ前記ガードフィンは湾曲している、請求項５又は７に記載のブレードユニット。
【請求項１５】
ハンドル接続構造を包含する使い捨てカートリッジからなる、請求項１、２、又は３に記載のブレードユニット。
【請求項１６】
前記キャップは、前記刃先に平行な剃毛援助をもたらすための第２の細長いキャップストリップを有する、請求項３、５、及び６に記載のブレードユニット。
【請求項１７】
請求項１に記載の剃毛ブレードユニットと、それに取り付けられるハンドルとを備えた剃毛かみそり。
【請求項１８】
請求項２に記載の剃毛ブレードユニットと、それに取り付けられるハンドルとを備えた剃毛かみそり。
【請求項１９】
請求項３に記載の剃毛ブレードユニットと、それに取り付けられるハンドルとを備えた剃毛かみそり。
【発明の詳細な説明】
【技術分野】
【０００１】
本発明は、剃毛かみそり、及びブレードのユニット、ひいては製造方法に関する。
【背景技術】
【０００２】
剃毛かみそりは、多くの場合、プラスチック筐体内の所望の位置に固定される複数のブレードを包含する。筐体は、多くの場合、エラストマー材料で作製されたフィン又は他の皮膚係合構造体を有するガードをブレードの前に、及びその上に皮膚が摺動できるキャップをブレードの後ろに備える。剃毛援助（例えば、潤滑剤分配機構）がキャップ内に、及び時にはガード内に組み込まれることができる。例えば、剃毛中に皮膚の輪郭に従うのを援助するために、ブレードは固定又は可動であることができ、及び筐体はハンドルに固着される又はハンドル上に移動可能に取り付けられることができる。
【０００３】
剃毛かみそりの幾つかの異なる種類の例は、米国特許第５，９０３，９７９号、第６，１８５，８２３号、及び第６，５５３，６４１号に記載されている。
【０００４】
１つの態様では、本発明は、一般に、筐体と、筐体上のブレード先とを有する少なくとも１つの細長いブレードと、ブレードの前の筐体上の細長いガードと、ブレードの後ろの筐体上の細長いキャップとを包含する剃毛ブレードユニットを扱う。ガードは、剃毛援助をもたらすための細長いガードストリップと、ガードストリップの末端部とを越えて横方向に延びるエラストマーのガードフィンを包含する。
【０００５】
別の態様では、本発明は、一般に、筐体と、少なくとも１つの細長いブレードと、細長いガードと、細長いキャップとを包含する剃毛ブレードユニットを扱い、この場合、ガードは、剃毛援助をもたらすための細長いガードストリップと、一連の凹部とを包含するエラストマー材料を包含する。
【０００６】
別の態様では、本発明は、一般に、筐体と、少なくとも１つの細長いブレードと、細長いガードと、細長いキャップとを包含する剃毛ブレードユニットを扱い、この場合、キャップは、剃毛援助をもたらすための細長いキャップストリップと、キャップストリップの両側にキャップストリップの末端部を越えて横方向に延びるエラストマーキャップフィンとを包含する。
【０００７】
本発明の特定の実施形態は、次の特徴の１つ以上を包含してもよい。ガード内の一連の凹部は、細長いガードストリップに平行であることができ、ガードストリップの前及び又は後ろに第１列に配列されることができる。好ましくは、前に１つ及び後ろに１つの、２つの列が存在する。ガードフィンは湾曲されることができる。キャップフィンは湾曲されることができる。ブレードユニットは、ハンドル接続構造を包含する使い捨て（diposable）カートリッジからなることができる。
【０００８】
別の態様では、本発明は、一般に、既に記載されたような剃毛ブレードユニット、及びそれに取り付けられるハンドルを包含する剃毛かみそりを扱う。
【０００９】
本発明の実施形態は、次の１つ以上の利点を包含してもよい。剃毛援助ストリップの横にあるフィンは、ガード及びキャップの両方において、中央よりも横で取り込む際の皮膚の取り扱いに備えている。凹部は、剃毛援助ストリップにより供給される剃毛援助物質を受け取り、及び徐々に供給することができる。ガード上の潤滑ストリップの中央位置は、改善された剃毛性能を提供することができる。
【００１０】
本発明の他の利点及び特徴は、次の特定の実施形態の説明と請求項とから明らかになる。
【００１１】
図１〜６を参照すると、剃毛ブレードユニット１０は、ハンドル１４の接続のための基盤部材１２、及び剃毛ブレード組みたて部品１６を包含し、剃毛ブレード組みたて部品１６は基盤部材１２に旋回して接続される。剃毛ブレード組みたて部品１６は、３枚のブレード２０、ガード２２、及びキャップ構成要素２４を支えるプラスチック筐体１８（図５に最も明瞭である）を包含し、並びにブレード２０を所定の位置に保持する成形されたシート金属クリップ２６が、筐体１８にその外周の周りにスナップ式接続により固定される。クリップ２６は開口部２８を有し、これを通してブレード２０、ガード２２、及びキャップ構成要素２６は暴露される。
【００１２】
ガード２２は、エラストマー部材３０を包含し、その中には円形凹部３６の２つの列３２、３４が前部及び後部に形成され、並びにエラストマー部分３０内に固定される、細長い中央の剃毛援助ストリップ４２（潤滑を提供する）の末端部を越えて延びる湾曲したフィン３８、４０が両側に形成される。凹部３６は円筒形であり、及び０．８ｍｍの直径、０．６２ｍｍの深さを有し、及び１．０５ｍｍの距離で互いに間隔を空けている。前列３２の凹部３６は、後列３４の凹部３６とずれがある。剃毛援助ストリップ４２は、エラストマー部材３０の表面から上方に出っ張っている。４つのフィン３８、及び４つのフィン４０があり、前面のフィンは、潤滑ストリップ４２の末端部の前にわずかに延びており、及び前面フィンの後ろの各フィンは、僅かに外側の位置から始まっているフィン３８、４０の外側の末端部は後方に湾曲し、クリップ２６の開口部２８の湾曲を近似する。フィンは中央よりも横でユーザーの皮膚を取り込みやすい。
【００１３】
キャップ構成要素２６は、前部の細長い剃毛援助ストリップ４４と、後部の細長い剃毛援助ストリップ４６と、細長いストリップ４６の末端部とを越えて延びるエラストマーフィン４８、５０を包含する。フィン４８、５０はすべて、潤滑ストリップ４６の末端部を越えた直後の位置で始まり、及び外側末端部は前方に湾曲する傾向があり、クリップ２６の開口部２８の湾曲を近似する。フィン４８、５０は、ユーザーの皮膚を、角の領域においてクリップ２８の端から保護し、及びまた中央でなく横で皮膚を取り込む際に皮膚をうまく取り扱う。また、ユーザーがカートリッジ面を表面上に設置する場合には、フィン４８、５０は、剃毛援助ストリップ４４、４６を表面上方に上げ、それらを乾燥させ及び表面に貼り付くのを回避する。２つの剃毛援助ストリップの使用は、２つの異なる種類の剃毛援助を提供することを可能にし（例えば、異なる潤滑剤、又は潤滑剤とヒゲ柔軟剤若しくは薬剤のような別の援助）、剃毛性能を制御する際の柔軟性を提供する。
【００１４】
剃毛援助ストリップ４２、４４、４６は、例えば、本明細書に参考として組み込まれる、米国特許第４，１７０，８２１号に記載されるように、ポリエチレンオキシド及びポリスチレンから作製できる。
【図面の簡単な説明】
【００１５】
【図１】剃毛ブレードユニットの斜視図。
【図２】図１の剃毛ブレードユニットの平面図。
【図３】図１の剃毛ブレードユニットの正面図。
【図４】図１の剃毛ブレードユニットの背面図。
【図５】図１の剃毛ブレードユニットの底面図。
【図６】図１の剃毛ブレードユニットの側面図。
【図１】
2007521933.tif 000003
【図２】
2007521933.tif 000004
【図３】
2007521933.tif 000005
【図４】
2007521933.tif 000006
【図５】
2007521933.tif 000007
【図６】
2007521933.tif 000008
【国際調査報告】
2007521933.tif 000009
2007521933.tif 000010
2007521933.tif 000011
2007521933.tif 000012
2007521933.tif 000013